【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
ビデオデータのブロックを復号する方法であって、
複数のイントラ予測モードの中から、ビデオデータの前記ブロックのイントラ予測のためのM個の最確モードMPMを導出するステップであって、Mが3より大きく、前記MPMのうちの3つが、高効率ビデオコーディングHEVCにおいて定義されるように決定され、前記MPMのうちの追加のM-3つが、平面イントラモードおよびDCイントラモードが常に前記M個のMPMに含まれるように選択される、ステップと、
ビデオデータの前記ブロックのイントラ予測のための前記複数のイントラ予測モードのうちの選択されたイントラ予測モードを示すためにMPMインデックスが使用されるか非MPMインデックスが使用されるかを示すシンタックス要素を復号するステップと、
前記MPMインデックスまたは前記非MPMインデックスのうちの前記示されるものを復号するステップであって、前記MPMインデックスが前記M個のMPMのうちのいずれが前記選択されたイントラ予測モードであるかを示し、前記非MPMインデックスが前記M個のMPM以外の前記複数のイントラ予測モードのうちのいずれが前記選択されたイントラ予測モードであるかを示す、ステップと、
前記選択されたイントラ予測モードに基づいてビデオデータの前記ブロックを再構築するステップとを備える、方法。
【請求項２】
ビデオデータの前記ブロックが前記ビデオデータの現在のピクチャの中の現在のコーディング単位CUであり、
ビデオデータの前記ブロックのための前記選択されたイントラ予測モードが、前記現在のCUの現在の予測単位PUのための選択されたイントラ予測モードであり、
前記選択されたイントラ予測モードに基づいてビデオデータの前記ブロックを再構築するステップが、
前記選択されたイントラ予測モードを使用して前記PUの予測ブロックを生成するステップと、
前記CUのPUの前記予測ブロックのサンプルを、前記現在のCUの変換単位TUの変換ブロックの対応するサンプルに加算することによって、残差値を使用して前記現在のCUを再構築するステップと
を備える、請求項1に記載の方法。
【請求項３】
前記追加のM-3個のMPMは、前記平面イントラモードと、前記DCイントラモードとに加えて、垂直イントラモード、水平イントラモード、または対角イントラモードのうちの少なくとも1つが常に前記M個のMPMに含まれるように選択される、請求項1に記載の方法。
【請求項４】
コーディングされたピクチャの表現および関連するデータを形成するビットのシーケンスを含むビットストリームを受信するステップをさらに備え、前記コーディングされたピクチャが前記現在のピクチャを含む、請求項1に記載の方法。
【請求項５】
ビデオデータのブロックを符号化する方法であって、
複数のイントラ予測モードの中から、ビデオデータの前記ブロックのイントラ予測のためのM個の最確モード(MPM)を導出するステップ(600)であって、Mが3より大きく、前記MPMのうちの3つが、高効率ビデオコーディング(HEVC)において定義されるように決定され、前記MPMのうちの追加のM-3つが、平面イントラモードおよびDCイントラモードが常に前記M個のMPMに含まれるように選択される、ステップ(600)と、
ビデオデータの前記ブロックのイントラ予測のための前記複数のイントラ予測モードのうちの選択されたイントラ予測モードを示すためにMPMインデックスが使用されるか非MPMインデックスが使用されるかを示すシンタックス要素を符号化するステップ(602)と、
前記MPMインデックスまたは前記非MPMインデックスのうちの前記示されるものを符号化するステップ(604)であって、前記MPMインデックスが前記M個のMPMのうちのいずれが前記選択されたイントラ予測モードであるかを示し、前記非MPMインデックスが前記M個のMPM以外の前記複数のイントラ予測モードのうちのいずれが前記選択されたイントラ予測モードであるかを示す、ステップ(604)と、
前記選択されたイントラ予測モードに基づいてビデオデータの前記ブロックを符号化するステップ(606)とを備える、方法。
【請求項６】
ビデオデータの前記ブロックが前記ビデオデータの現在のピクチャの中の現在のコーディング単位(CU)であり、
ビデオデータの前記ブロックのための前記選択されたイントラ予測モードが、前記現在のCUの現在の予測単位(PU)のための選択されたイントラ予測モードであり、
前記選択されたイントラ予測モードに基づいてビデオデータの前記ブロックを符号化するステップが、
前記PUの前記選択されたイントラ予測モードに基づいて、前記PUの予測ブロックを生成するステップと、
前記現在のCUと前記予測ブロックとの間のピクセル差分を表す残差データを生成するステップと
を備える、請求項5に記載の方法。
【請求項７】
コーディングされたピクチャの表現および関連するデータを形成するビットのシーケンスを含むビットストリームを出力するステップをさらに備え、前記コーディングされたピクチャが前記現在のピクチャを含む、請求項6に記載の方法。
【請求項８】
前記追加のM-3個のMPMは、前記平面イントラモードと、前記DCイントラモードとに加えて、垂直イントラモード、水平イントラモード、または対角イントラモードのうちの少なくとも1つが常に前記M個のMPMに含まれるように選択される、請求項5に記載の方法。
【請求項９】
ビデオデータを復号するためのデバイスであって、
前記ビデオデータを記憶するように構成されるメモリと、
1つまたは複数のプロセッサとを備え、前記1つまたは複数のプロセッサが、
複数のイントラ予測モードの中から、前記ビデオデータのブロックのイントラ予測のためのM個の最確モード(MPM)を導出することであって、Mが3より大きく、前記MPMのうちの3つが、高効率ビデオコーディング(HEVC)において定義されるように決定され、前記MPMのうちの追加のM-3つが、平面イントラモードおよびDCイントラモードが常に前記M個のMPMに含まれるように選択される、導出することと、
ビデオデータの前記ブロックのイントラ予測のための前記複数のイントラ予測モードのうちの選択されたイントラ予測モードを示すためにMPMインデックスが使用されるか非MPMインデックスが使用されるかを示すシンタックス要素を復号することと、
前記MPMインデックスまたは前記非MPMインデックスのうちの前記示されるものを復号することであって、前記MPMインデックスが前記M個のMPMのうちのいずれが前記選択されたイントラ予測モードであるかを示し、前記非MPMインデックスが前記M個のMPM以外の前記複数のイントラ予測モードのうちのいずれが前記選択されたイントラ予測モードであるかを示す、復号することと、
前記選択されたイントラ予測モードに基づいてビデオデータの前記ブロックを再構築することと
を行うように構成される、デバイス。
【請求項１０】
ビデオデータの前記ブロックが前記ビデオデータの現在のピクチャの中の現在のコーディング単位(CU)であり、
ビデオデータの前記ブロックのための前記選択されたイントラ予測モードが、前記現在のCUの現在の予測単位(PU)のための選択されたイントラ予測モードであり、
前記1つまたは複数のプロセッサが、前記選択されたイントラ予測モードに基づいてビデオデータの前記ブロックを再構築することの一部として、
前記選択されたイントラ予測モードを使用して前記PUの予測ブロックを生成し、
前記CUのPUの前記予測ブロックのサンプルを、前記現在のCUの(TU)の変換ブロックの対応するサンプルに加算することによって、残差値を使用して前記現在のCUを再構築する
ように構成される、請求項9に記載のデバイス。
【請求項１１】
前記1つまたは複数のプロセッサが、前記M-3個のMPMを選択することの一部として、前記平面イントラモードと、前記DCイントラモードとに加えて、垂直イントラモード、水平イントラモード、または対角イントラモードのうちの少なくとも1つとを、常に前記M個のMPMに含めるように構成される、請求項9に記載のデバイス。
【請求項１２】
ビデオデータを符号化するためのデバイスであって、
前記ビデオデータを記憶するように構成されるメモリと、
1つまたは複数のプロセッサとを備え、前記1つまたは複数のプロセッサが、
複数のイントラ予測モードの中から、前記ビデオデータのブロックのイントラ予測のためのM個の最確モード(MPM)を導出することであって、Mが3より大きく、前記MPMのうちの3つが、高効率ビデオコーディング(HEVC)において定義されるように決定され、前記MPMのうちの追加のM-3つが、平面イントラモードおよびDCイントラモードが常に前記M個のMPMに含まれるように選択される、導出することと、
ビデオデータの前記ブロックのイントラ予測のための前記複数のイントラ予測モードのうちの選択されたイントラ予測モードを示すためにMPMインデックスが使用されるか非MPMインデックスが使用されるかを示すシンタックス要素を符号化することと、
前記MPMインデックスまたは前記非MPMインデックスのうちの前記示されるものを符号化することであって、前記MPMインデックスが前記M個のMPMのうちのいずれが前記選択されたイントラ予測モードであるかを示し、前記非MPMインデックスが前記M個のMPM以外の前記複数のイントラ予測モードのうちのいずれが前記選択されたイントラ予測モードであるかを示す、符号化することと、
前記選択されたイントラ予測モードに基づいてビデオデータのブロックを符号化することと
を行うように構成される、デバイス。
【請求項１３】
ビデオデータの前記ブロックが前記ビデオデータの現在のピクチャの中の現在のコーディング単位(CU)であり、
ビデオデータの前記ブロックのための前記選択されたイントラ予測モードが、前記現在のCUの現在の予測単位(PU)のための選択されたイントラ予測モードであり、
前記1つまたは複数のプロセッサが、前記選択されたイントラ予測モードに基づいてビデオデータの前記ブロックを符号化することの一部として、
前記PUの前記選択されたイントラ予測モードに基づいて、前記PUの予測ブロックを生成し、
前記現在のCUと前記予測ブロックとの間のピクセル差分を表す残差データを生成する
ように構成される、請求項12に記載のデバイス。
【請求項１４】
前記1つまたは複数のプロセッサが、前記M-3個のMPMを選択することの一部として、前記平面イントラモードと、前記DCイントラモードとに加えて、垂直イントラモード、水平イントラモード、または対角イントラモードのうちの少なくとも1つとを、常に前記M個のMPMに含めるように構成される、請求項12に記載のデバイス。
【請求項１５】
命令を記憶するコンピュータ可読記憶媒体であって、前記命令が、1つまたは複数のプロセッサによって実行されると、前記1つまたは複数のプロセッサに、
複数のイントラ予測モードの中から、ビデオデータのブロックのイントラ予測のためのM個の最確モード(MPM)を導出することであって、Mが3より大きく、前記MPMのうちの3つが、高効率ビデオコーディング(HEVC)において定義されるように決定され、前記MPMのうちの追加のM-3つが、平面イントラモードおよびDCイントラモードが常に前記M個のMPMに含まれるように選択される、導出することと、
ビデオデータのブロックのイントラ予測のための前記複数のイントラ予測モードのうちの選択されたイントラ予測モードを示すためにMPMインデックスが使用されるか非MPMインデックスが使用されるかを示すシンタックス要素をコーディングすることと、
前記MPMインデックスまたは前記非MPMインデックスのうちの前記示されるものをコーディングすることであって、前記MPMインデックスが前記M個のMPMのうちのいずれが前記選択されたイントラ予測モードであるかを示し、前記非MPMインデックスが前記M個のMPM以外の前記複数のイントラ予測モードのうちのいずれが前記選択されたイントラ予測モードであるかを示す、コーディングすることと、
前記選択されたイントラ予測モードに基づいてビデオデータの前記ブロックをコーディングすることとを行わせる、コンピュータ可読記憶媒体。